(57)【要約】  【課題】従来のヒートショック防止方法とは全く異なる発想に基づいたヒートショックを防止するための器具を提供する。  【解決手段】取っ手部１、第一貯水部２及び第二貯水部３を備えた中空の血流促進器具に連通部４を設け、第二貯水部３の上面に足裏載置部５を設ける。【選択図】      図１
2018149074.tif 000002
【特許請求の範囲】
【請求項１】
取っ手部（１）と、前記取っ手部（１）の下部に設けられた第一貯水部（２）と、前記第一貯水部（２）の下方に設けられた第二貯水部（３）とを備えた中空の血流促進器具であって、
前記第一貯水部（２）と前記第二貯水部（３）との間には連通部（４）が設けられており、
前記第二貯水部（３）の上面に足裏載置部（５）が設けられていることを特徴とする血流促進器具。
【請求項２】
前記第一貯水部（２）の下面に足甲接触部（６）が設けられていることを特徴とする請求項１に記載の血流促進器具。
【請求項３】
前記血流促進器具は、弾性素材よりなることを特徴とする請求項１又は２に記載の血流促進器具。
【発明の詳細な説明】
【技術分野】
【０００１】
本発明は、入浴時に体内の血液の流れを促進してヒートショックを防止するための器具に関する。
【背景技術】
【０００２】
ヒートショックは、温度の急激な変化によって血圧が大きく変動し、これによって心臓に負担がかかりショック状態になることとされており、特に冬場の入浴時に頻発するといわれている。ヒートショックによって、失神等が引き起こされ入浴中に溺れたり、また心筋梗塞、不整脈、脳梗塞等が引き起こされて心肺停止等につながる重大な事故が多数発生している。
【０００３】
そこで、ヒートショックを防止するべく、様々な技術が開発されている（例えば、特許文献１及び特許文献２）。
【０００４】
特許文献１は、蓋本体と、この蓋の開閉を行うシャッターと、前記シャッターの駆動装置と、時間を計測するタイマーと、前記タイマーの信号により、前記駆動装置を介してシャッターを操作し、浴室内を温める風呂装置を開示している。
【０００５】
また、特許文献２は、浴室内に敷設されて荷重を検出する荷重検出手段と、経過時間を計測し設定された特定経過時間間隔で信号を発信する経過時間計測手段と、前記特定経過時間間隔の間の前記荷重検出手段による検出荷重の変化経過を記録する記憶手段と、前記記憶手段内の前記検出荷重の変化経過の記録に基づき異常正常を判断する判定手段と、該判定手段による判定情報を指定された連絡先に送る送信手段と、を備えることを特徴とするお風呂見守り簡易システムを開示している。
【０００６】
しかしながら、特許文献１に開示される技術は、脱衣所、浴室及び浴槽といった場所による寒暖差を減少させてヒートショックを防止しようとする、従来より採用されている発想の域を出るものではない。
【０００７】
また、特許文献２に開示される技術は、浴室利用の際の事故等の異常事態を見守るためのシステムであり、ヒートショックを未然に防止するための技術ではない。
【先行技術文献】
【特許文献】
【０００８】
【特許文献１】特開２００８−２３３２２号公報
【０００９】
【特許文献２】特開２００８−３９６６号公報
【発明の概要】
【発明が解決しようとする課題】
【００１０】
本発明は、従来のヒートショック防止方法とは全く異なる発想に基づいたヒートショックを防止するための器具を提供することを目的とする。
【課題を解決するための手段】
【００１１】
本発明の第１の態様は、取っ手部（１）と、前記取っ手部（１）の下部に設けられた第一貯水部（２）と、前記第一貯水部（２）の下方に設けられた第二貯水部（３）とを備えた中空の血流促進器具であって、前記第一貯水部（２）と前記第二貯水部（３）との間には連通部（４）が設けられており、前記第二貯水部（３）の上面に足裏載置部（５）が設けられていることを特徴とする。
【００１２】
本発明の第２の態様は、前記第一貯水部（２）の下面に足甲接触部（６）が設けられていることを特徴とする。
【００１３】
本発明の第３の態様は、前記血流促進器具は、弾性素材よりなることを特徴とする。
【発明の効果】
【００１４】
本発明の第１の態様によれば、中空構造の血流促進器具内に水を充填して、浴槽内に入浴中に足の裏を足裏載置部に載せることで足の裏を冷やすことが可能であり、これによって浴槽に浸かっている他の身体部分と足の裏との温度差を生じさせ、入浴中の血流の促進を図ることが可能となる。また、第一貯水部と第二貯水部を設けたことで、入浴中に第二貯水部内の水の温度が上昇した場合には、第一貯水部内の比較的に温度の低い水が第二貯水部内の水と入れ替わって、足裏載置部に載せられた足の裏を冷やすことが可能となるため、入浴時間中は継続して血流の促進を図ることができる。以上の通り、入浴中に血流を促進させることでヒートショックを防止することができる。
【００１５】
本発明の第２の態様によれば、第一貯水部の下面に足甲接触部を設けたことにより、浴槽内に入浴中に足の甲を足甲接触部に接触させることにより足の甲を冷やすことが可能であり、浴槽に浸かっている他の身体部分と足部分との温度差を生じさせ、より有効に入浴中の血流の促進を図ることでヒートショックを防止することが可能となる。
【００１６】
本発明の第３の態様によれば、血流促進器具は、弾性素材よりなるものとしたので、より安定して足の裏を足裏載置部に載置することができる。また、第一貯水部の下面に足甲接触部を設けた場合には、足裏載置部と足甲接触部との間に載置された足部分に対して、血流促進器具をより密着させることが可能となるので、より有効に足部分を冷やすことで、より一層血流の促進を図ることができる。その結果、より有効にヒートショックを防止することが可能となる。
【図面の簡単な説明】
【００１７】
【図１】本発明の血流促進器具の正面図である。
【図２】本発明の血流促進器具の使用状態を示す図である。
【発明を実施するための形態】
【００１８】
以下、図面を参照しながら本発明を実施するための形態について説明する。
【００１９】
本発明の血流促進器具は中空であり、内部の中空部分に水が充填され、浴槽に湯をはって浴槽内に入浴するにあたり、浴槽内に入れて足部分を冷やして、浴槽内に浸かっている他の身体部分と足部分との温度差を生じさせることで血流を促進し、ヒートショックを防止するための器具である。
【００２０】
一部の幼稚園や小学校では「裸足教育」と呼ばれる健康法が採用されている。裸足教育は、児童が冬に冷たい板の間、廊下及び体育館等を裸足で歩いたり、走ったりすることで、足の裏とその他の身体部分との温度差を生じさせ、これによって血流を活発化して体調を良好にする効果があると言われている。
【００２１】
また、みぞおち辺りまで湯に浸かる半身浴は、湯に浸かっていない頭部と湯に浸かっている身体部分との温度差を生じさせることが可能となるため、血流を促進させる方法として有効と考えられている。
【００２２】
同様に、足湯の場合も、湯に浸かった足と湯に浸かっていないその他の身体部分との温度差を生じさせることで血流が促進する。
【００２３】
上述の通り、身体の部分ごとに温度差を生じさせることで、血流が促進される。例えば、足の裏の温度が３９度、心臓付近の温度が４１度及び頭部の温度が３８度のように、身体の部分によって温度を異ならせることで血流が促進される。これに対し、例えば、足の裏、心臓付近及び頭部の温度が同じ温度であると、血流が鈍くなりヒートショックを引き起こす可能性が高まってしまう。
【００２４】
例えば、シャワー浴の場合、首、肩、胸といったように、身体の一部に順に湯がかけられていくため、身体の部分ごとに温度差が生じるため血流が促進し、シャワー浴の場合は、ヒートショックが起きにくいと言われている。これらの現象は、身体の部位によって温度差が生じた場合、全身を同じ温度にしようとする作用が働く結果、血流が促進されるためであると考えられる。
【００２５】
ちなみに、近年、夏季に多数の事故が報告されている熱中症の発症原因もヒートショックのそれと略同様に考えることができる。すなわち、身体の全ての部位が同じ温度に近づくことで熱中症が誘発される。しかしながら、ヒートショックの場合、多くは身体が湯中に浸かった状態で発症するため、熱中症に比して危険度が高く、その防止策が強く望まれている。
【００２６】
図１は、本発明の好ましい態様の血流促進器具を示している。取っ手部１は、血流促進器具を浴槽内に入れて、利用者が座った状態で入浴する際に、手で血流促進器具を掴むための部材である。手で取っ手部１を掴むことで、座って入浴する場合の姿勢が安定する。また、これによって、血流促進器具が浴槽内で移動してしまうことを防止できるので、足の裏を足裏載置部５に載せることが容易となる。取っ手部１の形状は特に限定されるものではなく、手で掴みやすい形状、大きさ及び厚みを有するものであることが望ましい。  
【００２７】
取っ手部１には、図示しない給水口を設けることもできる。給水口は、開閉可能であり、血流促進器具内に水を充填する際に用いられる。給水口は、必ずしも取っ手部１に設ける必要はなく、血流促進器具の任意の位置に設けることができる。
【００２８】
取っ手部１は、第一貯水部２、第二貯水部３及び連通部４の存在によって、座った状態で腕を略水平に前方に伸ばしたときに、取っ手部１を手で掴みやすい高さとなるような高さ位置に設けられることが望ましい。
【００２９】
第一貯水部２は、取っ手部１の下部に設けられている。本発明の好ましい態様において、第一貯水部２は略球状である。図１に示すように、第一貯水部２の下部は、正面視において扁平しており、これによって、第一貯水部２と第二貯水部３との間に足を載置しやすくなる。
【００３０】
第一貯水部２の下方には第二貯水部３が設けられている。本発明の好ましい態様において、第二貯水部３は扁球状である。第二貯水部３の下面は浴槽に載置される面であることから、図１に示すように、第二貯水部３の下面は略平坦である。
【００３１】
第一貯水部２と第二貯水部３との間には連通部４が設けられている。連通部４によって、第一貯水部２内の水と第二貯水部３内の水が流通可能になっている。具体的には、血流促進器具を湯をはった浴槽内に入れて使用する場合、血流促進器具内の水のうち血流促進器具の外周付近の水から温度が上昇する。そのため、第二貯水部３内の第二貯水部３の外周付近の水の温度が上昇するにつれ、当該外周付近の水は血流促進器具内の上方に移動するとともに、第一貯水部２の中心付近に存在する比較的温度の低い水が血流促進器具内の下方、即ち第二貯水部３に移動する。この作用によって、一定時間浴槽内で入浴する場合でも継続して足の裏を冷やすことが可能となる。
【００３２】
足裏載置部５は、第二貯水部３の上面に設けられている。足裏載置部５には、図２に示すように足の裏が載置される。そのため、足裏載置部５、即ち第二貯水部３の上面は略平坦である。足の裏を足裏載置部５に置くことによって、浴槽内に入浴中でも足の裏を冷やすことができる。これにより、頭部の温度と、足の裏の温度と、その他の湯に浸かっている身体部分の温度との間に温度差をつけることができ、血流を促進し、ひいてはヒートショックを防止することができる。
【００３３】
本発明の好ましい態様において、第一貯水部２の下面には足甲接触部６が設けられている。図２に示すように、足裏載置部５に足が載置された場合に、足の甲の一部が足甲接触部６に接触することから、足の裏に加えて、足の甲の一部も冷やすことが可能となり、より有効に血流を促進させ、ヒートショックを防止することができる。
【００３４】
図２に示すように、第一貯水部２と第二貯水部３との間に足が置かれるため、第一貯水部２と第二貯水部３との間の間隔は人間の足の高さを考慮した長さとなるように設定される。換言すると、連通部４の長さは、平均的な人間の足の高さに略等しい長さに設定される。
【００３５】
本発明の好ましい態様において、血流促進器具は、弾性素材よりなる。弾性素材とは、例えば、ビニール、プラスチック、ゴム等であるが、これらに限定されるものではない。人間の足の高さは各人ごとにバラつきがあるが、本発明の血流促進器具を弾性素材により構成することにで、足の高さにバラつきがあっても、第一貯水部２と第二貯水部３の間に足を配置させることが可能となる。
【符号の説明】
【００３６】
１    取っ手部
２    第一貯水部
３    第二貯水部
４    連通部
５    足裏載置部
６    足甲接触部
【図１】
2018149074.tif 000003
【図２】
2018149074.tif 000004